(57)【要約】【課題】視覚障害者が簡便な操作で行先階を適切に登録できるエレベータ操作盤および行先階登録方法を提供する。【解決手段】実施形態のエレベータ操作盤は、タッチパネルを備えるエレベータ操作盤であって、音声出力制御部と、行先階判断部と、を備える。音声出力制御部は、前記タッチパネルに対する接触が第１所定時間継続したことが検知されると、行先階として登録可能な階床を順次読み上げる音声案内を開始する。行先階判断部は、前記音声案内が開始された後の前記タッチパネルに対する接触状態の変化に基づいて行先階を判断する。【選択図】図２
2018184274.tif 000002
【特許請求の範囲】
【請求項１】
タッチパネルを備えるエレベータ操作盤であって、
前記タッチパネルに対する接触が第１所定時間継続したことが検知されると、行先階として登録可能な階床を順次読み上げる音声案内を開始する音声出力制御部と、
前記音声案内が開始された後の前記タッチパネルに対する接触状態の変化に基づいて行先階を判断する行先階判断部と、
を備えるエレベータ操作盤。
【請求項２】
前記音声出力制御部は、継続していた接触が途切れたときに前記音声案内を終了し、
前記行先階判断部は、前記音声案内により最後に読み上げられた階床を行先階と判断する
請求項１に記載のエレベータ操作盤。
【請求項３】
前記音声出力制御部は、継続していた接触が途切れたときに、前記音声案内により最後に読み上げられた階床を行先階として登録するか否かを問い合わせる確認音声を出力し、
前記行先階判断部は、前記確認音声が出力されてから第２所定時間内に前記タッチパネルに対する接触が検知された場合に、前記音声案内により最後に読み上げられた階床を行先階と判断する
請求項２に記載のエレベータ操作盤。
【請求項４】
前記音声出力制御部は、前記エレベータ操作盤が設けられたかごの移動中に前記タッチパネルに対する接触が前記第１所定時間継続したことが検知された場合は、行先階として登録可能な階床を移動中の前記かごが停止できる最寄りの階床から順次読み上げる前記音声案内を開始する
請求項１乃至３のいずれか一項に記載のエレベータ操作盤。
【請求項５】
前記音声出力制御部は、１つの階床の読み上げが終了するたびに前記音声案内を中断し、前記タッチパネルに対する接触が途切れてから第３所定時間内に再度接触が検知されると、中断した前記音声案内を次の階床の読み上げから再開し、
前記行先階判断部は、前記タッチパネルに対する接触が途切れてから前記第３所定時間内に接触が検知されない場合に、前記音声案内により最後に読み上げられた階床を行先階と判断する
請求項１に記載のエレベータ操作盤。
【請求項６】
前記タッチパネルは、上側領域と、該上側領域よりも下側に位置する下側領域とを有し、
前記音声出力制御部は、前記上側領域に対する接触が前記第１所定時間継続したことが検知された場合は、前記エレベータ操作盤が設けられたかごの現在位置よりも上側の行先階として登録可能な階床を順次読み上げる前記音声案内を開始させ、前記下側領域に対する接触が前記第１所定時間継続したことが検知された場合は、前記かごの現在位置よりも下側の行先階として登録可能な階床を順次読み上げる前記音声案内を開始させる
請求項１乃至５のいずれか一項に記載のエレベータ操作盤。
【請求項７】
前記音声出力制御部は、前記上側領域に対する接触が前記第１所定時間継続したことが検知された場合に、前記かごの現在位置よりも上側に行先階として登録可能な階床がなければ、前記下側領域に触れることを促す誘導音声を出力し、前記下側領域に対する接触が前記第１所定時間継続したことが検知された場合に、前記かごの現在位置よりも下側に行先階として登録可能な階床がなければ、前記上側領域に触れることを促す誘導音声を出力する
請求項６に記載のエレベータ操作盤。
【請求項８】
前記音声出力制御部は、前記上側領域と前記下側領域のうちの一方の領域に対する接触が前記第１所定時間継続したことが検知されて前記音声案内を開始させた後、前記一方の領域に対する接触が途切れると前記音声案内を中断し、前記一方の領域に対する接触が途切れてから第４所定時間内に他方の領域に対する接触が検知された場合は、最後に読み上げられた階床から読み上げの順序を反転して前記音声案内を再開する
請求項６または７に記載のエレベータ操作盤。
【請求項９】
前記上側領域と前記下側領域は、各々独立したタッチパネルモジュールよりなる
請求項６乃至８のいずれか一項に記載のエレベータ操作盤。
【請求項１０】
前記上側領域と前記下側領域との境界位置を触知により認識可能な構造体が設けられている
請求項６乃至９のいずれか一項に記載のエレベータ操作盤。
【請求項１１】
前記音声出力制御部は、前記エレベータ操作盤が設けられたかごに乗り込む利用者の数が１人であることが検知された場合に、前記タッチパネルに対する接触が前記第１所定時間継続したことが検知されると、前記音声案内を開始する
請求項１乃至１０のいずれか一項に記載のエレベータ操作盤。
【請求項１２】
前記音声出力制御部は、前記エレベータ操作盤が設けられたかごのドアが開放した状態で、前記タッチパネルに対する接触が前記第１所定時間継続したことが検知されると、前記音声案内を開始する
請求項１乃至１１のいずれか一項に記載のエレベータ操作盤。
【請求項１３】
前記音声出力制御部は、前記タッチパネルに対する接触が前記第１所定時間継続したことが検知され、かつ、前記第１所定時間内に前記タッチパネルの複数の位置で接触が検知された場合に、前記音声案内を開始する
請求項１乃至１２のいずれか一項に記載のエレベータ操作盤。
【請求項１４】
タッチパネルを備えるエレベータ操作盤に対する操作に応じて行先階を登録する行先階登録方法であって、
前記タッチパネルに対する接触が第１所定時間継続したことが検知されると、行先階として登録可能な階床を順次読み上げる音声案内を開始し、前記音声案内が開始された後の前記タッチパネルに対する接触状態の変化に基づいて特定される階床を行先階として登録する
行先階登録方法。
【発明の詳細な説明】
【技術分野】
【０００１】
本発明の実施形態は、エレベータ操作盤および行先階登録方法に関する。
【背景技術】
【０００２】
エレベータの利用者が行先階を登録する操作を行うエレベータ操作盤において、利用者の操作を受け付けるインタフェースとしてタッチパネルを採用したものが知られている。タッチパネルを備えるエレベータ操作盤は、押しボタン式のエレベータ操作盤と比べて表示能力が高く、様々な情報を利用者に提供できることに加え、表示レイアウトの柔軟性に優れるといった長所がある。
【０００３】
タッチパネルを備えるエレベータ操作盤は、一般的に、タッチパネルに表示した階床のうちのいずれかの階床の表示領域に対する利用者の接触を検知して、その階床を行先階に登録する。このため、利用者が視覚障害者である場合、行先階として登録したい階床の表示領域に正しく触れることが難しく、誤操作が生じやすい。
【０００４】
そこで、視覚障害者であっても正しく行先階を登録できるように、タッチパネルに対する手書き入力により行先階を指定できるようにしたエレベータ操作盤も提案されている。しかし、手書き入力は操作が煩雑なだけでなく、文字の誤認識が生じやすい。このため、視覚障害者が簡便な操作で行先階を適切に登録できるようにすることが望まれている。
【先行技術文献】
【特許文献】
【０００５】
【特許文献１】特許第５１１５５５４号公報
【特許文献２】特許第５８３７７８２号公報
【発明の概要】
【発明が解決しようとする課題】
【０００６】
本発明が解決しようとする課題は、視覚障害者が簡便な操作で行先階を適切に登録できるエレベータ操作盤および行先階登録方法を提供することである。
【課題を解決するための手段】
【０００７】
実施形態のエレベータ操作盤は、タッチパネルを備えるエレベータ操作盤であって、音声出力制御部と、行先階判断部と、を備える。音声出力制御部は、前記タッチパネルに対する接触が第１所定時間継続したことが検知されると、行先階として登録可能な階床を順次読み上げる音声案内を開始する。行先階判断部は、前記音声案内が開始された後の前記タッチパネルに対する接触状態の変化に基づいて行先階を判断する。
【図面の簡単な説明】
【０００８】
【図１】図１は、エレベータ操作盤の外観の一例を示す図である。
【図２】図２は、エレベータ操作盤の機能的な構成例を示すブロック図である。
【図３】図３は、第１実施形態のエレベータ操作盤の動作例を説明するフローチャートである。
【図４】図４は、第２実施形態のエレベータ操作盤の動作例を説明するフローチャートである。
【図５】図５は、第３実施形態のエレベータ操作盤の動作例を説明するフローチャートである。
【図６】図６は、エレベータ操作盤の外観の一例を示す図である。
【図７】図７は、第４実施形態のエレベータ操作盤の動作例を説明するフローチャートである。
【図８】図８は、第５実施形態のエレベータ操作盤の動作例を説明するフローチャートである。
【発明を実施するための形態】
【０００９】
以下、実施形態のエレベータ操作盤および行先階登録方法について、図面を参照しながら詳細に説明する。実施形態のエレベータ操作盤は、エレベータの利用者が行先階を登録するために操作するものであり、利用者の操作を受け付けるインタフェースとしてタッチパネルを備える。実施形態のエレベータ操作盤は、利用者の操作に応じた行先階を判断する動作モードとして、「通常モード」と「階床読み上げモード」とを有する。
【００１０】
通常モードは、従来のタッチパネルを備えるエレベータ操作盤と同様に、タッチパネルに表示した階床のうち、利用者の接触が検知された表示領域に対応する階床を行先階と判断する動作モードである。一方、階床読み上げモードは、行先階として登録可能な階床を順次読み上げる音声案内をスピーカから出力し、この音声案内と連動した利用者のタッチパネルの操作に応じて行先階を判断する動作モードである。この階床読み上げモードは、視覚障害者による行先階の登録操作をサポートするために、実施形態のエレベータ操作盤において新規に設けられた動作モードである。
【００１１】
通常モードから階床読み上げモードへの移行は、タッチパネルに対する長押しをトリガとして行われる。すなわち、実施形態のエレベータ操作盤は、タッチパネルに対する長押しが検知されないときは通常モードにより行先階を判断し、タッチパネルに対する長押しが検知されると階床読み上げモードに移行して、音声案内を開始する。そして、音声案内を開始した後のタッチパネルに対する接触状態の変化に基づいて行先階を判断する。ここで長押しとは、タッチパネルに対する接触が第１所定時間継続する操作態様である。第１所定時間は、例えば３秒など、タッチパネルに対する一時的な接触（タップ操作）と区別できる妥当な時間を定めておけばよい。
【００１２】
以下では、エレベータのかごに設けられたエレベータ操作盤を想定し、より詳細な実施形態を説明する。以下の説明において、同様の機能を持つ構成要素については同一の符号を付して、重複した説明を適宜省略する。なお、実施形態のエレベータ操作盤は、かごが着床する乗場に設けられてもよい。実施形態のエレベータ操作盤を乗場に設けた場合、行先階を登録するための操作を乗場にて行うことができる。
【００１３】
＜第１実施形態＞
図１は、本実施形態のエレベータ操作盤１の外観の一例を示す図である。図１に示すエレベータ操作盤１は、例えば、かごの袖壁に設置され、かごに乗り込んだ利用者が行先階の登録を行うために操作される。このエレベータ操作盤１は、図１に示すように、タッチパネル２と、インジケータ３と、スピーカ４とを備える。
【００１４】
タッチパネル２は、液晶パネルなどの表示装置とタッチパッドなどの位置入力装置とを組み合わせた電子部品であり、行先階を登録する利用者の操作を受け付けるインタフェースとして機能する。タッチパネル２は、かごが着床可能な階床（停止階）ごとの階床ボタン５を表示するとともに、当該タッチパネル２に対する接触を検知する。エレベータ操作盤１が上述の通常モードで動作する場合、タッチパネル２に表示されたいずれかの階床ボタン５をタップする操作が検知されると、その階床ボタン５に応じた階床が行先階として登録される。
【００１５】
なお、タッチパネル２は、階床ボタン５だけでなく、かごのドアを開閉するための戸開ボタンや戸閉ボタンなど、他のボタンを表示してもよい。また、停止階だけでなく、不停止階も表示し、表示の明るさを低減させたり、表示の色を変えたりといった視覚表現の違いによって、不停止階であることを示してもよい。
【００１６】
インジケータ３は、かごの運行状況を利用者に伝える表示装置であり、例えば、かごの現在位置を示す階床表示６やかごの移動方向（上昇または下降）を示す方向表示７などを表示する。なお、インジケータ３の機能をタッチパネル２に持たせ、階床表示６や方向表示７などをタッチパネル２上に表示してもよい。
【００１７】
スピーカ４は、各種の音声を出力する音声出力装置である。エレベータ操作盤１が上述の階床読み上げモードで動作する場合、上述の音声案内などがスピーカ４から出力される。
【００１８】
図２は、本実施形態のエレベータ操作盤１の機能的な構成例を示すブロック図である。エレベータ操作盤１は、図２に示すように、タッチパネル２、インジケータ３およびスピーカ４に加えて、これらの動作を制御するコントロールユニット１０を備える。コントロールユニット１０は、例えばテールコードなどのケーブル内の信号線を介して、エレベータ全体の動作を制御するエレベータ制御装置２０に接続されている。
【００１９】
コントロールユニット１０は、例えば、ＣＰＵ（Central  Processing  Unit）やＧＰＵ（Graphics  Processing  Unit）などのプロセッサと、プロセッサのワークエリアとして利用されるＲＡＭ（Random  Access  Memory）などの主記憶メモリと、制御プログラムを格納するＲＯＭ（Read  Only  Memory）などのプログラムメモリとを備える。この場合、プロセッサがプログラムメモリに格納された制御プログラムを主記憶メモリ上に読み出して実行することにより、図２に示す表示制御部１１、音声出力制御部１２および行先階判断部１３の各機能がコントロールユニット１０において実現される。なお、これら表示制御部１１、音声出力制御部１２および行先階判断部１３の機能は、その一部または全部をＡＳＩＣ（Application  Specific  Integrated  Circuit）やＦＰＧＡ（Field  Programmable  Gate  Array）などの専用のハードウェアを用いて実現する構成であってもよい。
【００２０】
表示制御部１１は、タッチパネル２やインジケータ３の表示を制御する。すなわち表示制御部１１は、図１に示したような階床ボタン５をタッチパネル２に表示させたり、階床表示６や方向表示７などをインジケータ３に表示させたりする。また、表示制御部１１は、利用者の操作によっていずれかの階床が行先階として登録された場合に、その階床の階床ボタン５の表示を明るくしたり、点滅させたりといった制御を行うことで、行先階に登録された階床を利用者に認識させるようにしてもよい。
【００２１】
音声出力制御部１２は、スピーカ４からの音声出力を制御する。音声出力制御部１２は、例えば、タッチパネル２に対する長押しが検知されて、エレベータ操作盤１の動作モードが通常モードから階床読み上げモードに移行すると、行先階として登録可能な階床を順次読み上げる（スピーカ４から音声出力させる）音声案内を開始する。行先階として登録可能な階床は、かごの現在位置と、かごの移動方向と（不停止階があればさらに停止階／不停止階に関する情報と）に基づいて判断される。例えば、１階から１２階までの各階がかごの停止階であり、移動方向が上昇のかごの現在位置が５階であれば、行先階として登録可能な階床は、６階、７階、８階、９階、１０階、１１階および１２階となる。
【００２２】
音声出力制御部１２は、例えば、エレベータ制御装置２０からかごの現在位置や移動方向などの情報を取得して、行先階として登録可能な階床を判断し、これらの階床を順次読み上げる音声案内を開始する。上記の例では、音声案内が開始されると、６階、７階、８階、９階、１０階、１１階および１２階が、例えばこの順で順次読み上げられる。
【００２３】
なお、かごが停止している状態で音声案内を開始させる場合は、音声案内により読み上げる階床の順番は任意に定めることができる。ただし、かごの移動中に音声案内を開始させる場合は、音声案内は、行先階として登録可能な階床を移動中のかごが停止可能な最寄りの階床から順次読み上げるものであることが望ましい。すなわち、エレベータ操作盤１の動作モードが階床読み上げモードに移行した時点で行先階として登録可能と判断される階床であっても、かごが移動中であれば安全に停止できない階床もある。また、かごの移動に伴ってかごに近い階から順に通過することになるため行先階に登録できなくなる。そこで、かごの移動中にタッチパネル２に対する長押しが検知された場合、音声出力制御部１２は、行先階として登録可能な階床を移動中のかごが停止可能な最寄りの階床から順次読み上げる音声案内を開始する。上記の例では、移動中のかごが停止可能な最寄りの階床が７階であれば、７階、８階、９階、１０階、１１階および１２階がこの順で順次読み上げられる。
【００２４】
音声出力制御部１２は、音声案内を開始した後、階床の読み上げが行われるごとに、その階床を特定する情報と読み上げ時刻を表すタイムスタンプとを行先階判断部１３に随時通知する。これにより、行先階判断部１３は、音声案内によって各階床の読み上げが行われたタイミングを認識することができる。
【００２５】
行先階判断部１３は、タッチパネル２に対する利用者の操作に応じて行先階を判断し、行先階を指定した登録指令をエレベータ制御装置２０に通知する。これにより、登録指定により指定された階床が、エレベータ制御装置２０により行先階として登録される。
【００２６】
エレベータ操作盤１が通常モードで動作している間、つまり、タッチパネル２に対する長押しが検知されるまでは、行先階判断部１３は、タッチパネル２に対する利用者の短時間の接触（タップ操作）が検知されると、そのタッチパネル２上の接触位置と、階床ボタン５の表示領域との関係から、利用者の操作に応じて登録すべき行先階を判断する。すなわち、タッチパネル２上の接触位置がいずれかの階床ボタン５の表示領域内であれば、その階床ボタン５に対応する階床を行先階と判断する。
【００２７】
一方、タッチパネル２に対する長押しが検知されてエレベータ操作盤１が通常モードから階床読み上げモードに移行し、音声出力制御部１２により音声案内が開始されると、行先階判断部１３は、音声案内が開始された後のタッチパネル２に対する接触状態の変化に基づいて、行先階を判断する。例えば、音声案内が開始された時点で継続していたタッチパネル２に対する接触、つまり、長押しとして検知された接触が途切れたときに、音声出力制御部１２が音声案内を終了する。この場合、行先階判断部１３は、音声案内により最後に読み上げられた階床を行先階と判断する。例えば、音声案内により７階が読み上げられたタイミングでタッチパネル２に対する接触が途切れたことが検知されると、行先階判断部１３は、７階を行先階と判断する。
【００２８】
図３は、本実施形態のエレベータ操作盤１の動作例を説明するフローチャートである。この図３のフローチャートで示す一連の処理手順は、タッチパネル２に対する接触が検知されたときに開始される。
【００２９】
タッチパネル２に対する接触が検知されると、その接触が第１所定時間継続したか否か、つまり、タッチパネル２に対する長押しかどうかが判定される（ステップＳ１０１）。ここで、第１所定時間が経過する前に接触が途切れた場合（ステップＳ１０１：Ｎｏ）、タッチパネル２上の接触位置が、いずれかの階床ボタン５の表示領域内であるか否かが判定される（ステップＳ１０２）。そして、タッチパネル２上の接触位置がいずれかの階床ボタン５の表示領域内であれば（ステップＳ１０２：Ｙｅｓ）、その階床ボタン５に対応する階床が行先階と判断され（ステップＳ１０３）、その階床を行先階に指定した登録指令がエレベータ制御装置２０に通知されて、処理が終了する。また、タッチパネル２上の接触位置がいずれの階床ボタン５の表示領域内でもない場合は（ステップＳ１０２：Ｎｏ）、行先階の登録は行われずにそのまま処理が終了する。
【００３０】
一方、タッチパネル２に対する接触が第１所定時間継続した場合は（ステップＳ１０１：Ｙｅｓ）、上述の音声案内が開始される（ステップＳ１０４）。そして、音声案内が行われている間、タッチパネル２に対する接触が途切れたか否かが判定される（ステップＳ１０５）。この音声案内は、タッチパネル２に対する接触が途切れるまで継続され、タッチパネル２に対する接触が途切れたことが検知されると（ステップＳ１０５：Ｙｅｓ）、音声案内が終了する（ステップＳ１０６）。そして、音声案内により最後に読み上げられた階床が行先階と判断され（ステップＳ１０７）、その階床を行先階に指定した登録指令がエレベータ制御装置２０に通知されて、処理が終了する。
【００３１】
以上、具体的な例を挙げながら詳細に説明したように、本実施形態のエレベータ操作盤１によれば、タッチパネル２に対する長押しが検知されると階床読み上げモードに移行し、行先階として登録可能な階床を順次読み上げる音声案内が開始される。そして、音声案内が開始された後のタッチパネル２に対する接触状態の変化に基づいて行先階が判断される。したがって、エレベータ操作盤１を操作する利用者が視覚障害者であっても、簡便な操作で行先階を適切に登録することができる。
【００３２】
特に、本実施形態では、長押しとして検知されたタッチパネル２に対する接触が途切れたときに音声案内を終了し、音声案内により最後に読み上げられた階床を行先階と判断するので、エレベータ操作盤１を操作する利用者は、タッチパネル２から指を離すといった極めて単純な操作で所望の階床を行先階に登録することができる。
【００３３】
＜第２実施形態＞
次に、第２実施形態について説明する。本実施形態は、階床読み上げモードにおいて行先階を判断する方法が、上述の第１実施形態と異なる。以下では、第１実施形態と重複する説明は省略し、相違点についてのみ説明する。
【００３４】
本実施形態では、音声出力制御部１２が、長押しとして検知された接触が途切れたときに音声案内を終了するとともに、音声案内により最後に読み上げられた階床を行先階として登録するか否かを問い合わせる確認音声を出力する。例えば、音声案内により最後に読み上げられた階床が７階であれば、音声出力制御部１２は、「７階を行先階に登録しますか？」といった確認音声をスピーカ４から出力させる。
【００３５】
また、行先階判断部１３は、上述の確認音声が出力されてから第２所定時間内にタッチパネル２に対する接触が検知された場合に、音声案内により最後に読み上げられた階床を行先階と判断する。第２所定時間は、タッチパネル２に対する接触が確認音声に対する利用者の応答であると判断できる妥当な時間（例えば５秒など）を定めておけばよい。
【００３６】
なお、上述の確認音声が出力されてから第２所定時間内にタッチパネル２に対する接触が検知されない場合は、エレベータ操作盤１の動作モードが階床読み上げモードから通常モードに戻る。この場合、エレベータ操作盤１を操作する利用者は、タッチパネル２に対する長押しの操作を再度行うことにより、改めて音声案内を開始させて階床読み上げモードによる行先階の登録を行うことができる。また、音声案内により最後に読み上げられた階床を記録しておき、改めて音声案内を開始させるときは、最後に読み上げた次の階床から読み上げを再開させるようにしてもよい。
【００３７】
図４は、本実施形態のエレベータ操作盤１の動作例を説明するフローチャートである。なお、この図４のステップＳ２０１からステップＳ２０６までの処理は、図３に示したステップＳ１０１からステップＳ１０６までの処理と同様であるため、説明を省略する。
【００３８】
本実施形態のエレベータ操作盤１では、ステップＳ２０６において音声案内が終了した後、上述の確認音声がスピーカ４から出力される（ステップＳ２０７）。そして、確認音声が出力されてから第２所定時間内にタッチパネル２に対する接触が検知されたか否かが判定される（ステップＳ２０８）。ここで、確認音声が出力されてから第２所定時間内にタッチパネル２に対する接触が検知された場合は（ステップＳ２０８：Ｙｅｓ）、音声案内により最後に読み上げられた階床が行先階と判断され（ステップＳ２０９）、その階床を行先階に指定した登録指令がエレベータ制御装置２０に通知されて、処理が終了する。一方、確認音声が出力された後、タッチパネル２に対する接触が検知されずに第２所定時間が経過した場合は（ステップＳ２０８：Ｎｏ）、行先階の登録は行われずにそのまま処理が終了する。
【００３９】
以上のように、本実施形態では、タッチパネル２に対する接触が途切れて音声案内を停止した後、音声案内により最後に読み上げられた階床を行先階として登録するか否かを問い合わせる確認音声を出力し、この確認音声の出力から第２所定時間内にタッチパネル２に対する接触を検知した場合に、音声案内により最後に読み上げられた階床を行先階と判断する。したがって、利用者がタッチパネル２から誤って指を離してしまうなどの誤操作によって意図しない階床が行先階として登録されてしまう不都合を有効に抑制することができる。
【００４０】
＜第３実施形態＞
次に、第３実施形態について説明する。本実施形態は、階床読み上げモードにおいて行先階を判断する方法が、上述の第１実施形態や第２実施形態と異なる。以下では、第１実施形態や第２実施形態と重複する説明は省略し、相違点についてのみ説明する。
【００４１】
本実施形態では、音声出力制御部１２が、音声案内を開始した後、１つの階床の読み上げが終了するたびに音声案内を中断する。そして、タッチパネル２に対する接触が途切れた後、第３所定時間内にタッチパネル２に対する接触が再度検知されると、中断した音声案内を次の階の読み上げから再開させる。つまり、本実施形態では、利用者がタッチパネル２に繰り返し触れる操作（連打）によって、音声案内で読み上げる階床の送り動作が行われる。第３所定時間は、タッチパネル２に対する接触の繰り返しを判断できる妥当な時間（例えば２秒など）を定めておけばよい。
【００４２】
また、行先階判断部１３は、音声案内が開始された後、タッチパネル２に対する接触が途切れてから第３所定時間内にタッチパネル２に対する接触が再度検知されない場合に、音声案内によって最後に読み上げられた階床を行先階と判断する。
【００４３】
図５は、本実施形態のエレベータ操作盤１の動作例を説明するフローチャートである。なお、この図５のステップＳ３０１からステップＳ３０４までの処理は、図３に示したステップＳ１０１からステップＳ１０４までの処理と同様であるため、説明を省略する。
【００４４】
本実施形態のエレベータ操作盤１では、ステップＳ３０４において音声案内が開始された後、１つの階床の読み上げが終了するごとに音声案内が中断される（ステップＳ３０５）。その後、タッチパネル２に対する接触が途切れたことが検知されると、タッチパネル２に対する接触が途切れてから第３所定時間内にタッチパネル２に対する接触が再度検知されたか否かが判定される（ステップＳ３０６）。ここで、タッチパネル２に対する接触が途切れてから第３所定時間内にタッチパネル２に対する接触が再度検知された場合は（ステップＳ３０６：Ｙｅｓ）、音声案内が再開されてステップＳ３０５に戻り、次の階床の読み上げが終了すると音声案内が中断される。
【００４５】
一方、タッチパネル２に対する接触が途切れてから第３所定時間内にタッチパネル２に対する接触が再度検知されない場合は（ステップＳ３０６：Ｎｏ）、音声案内により最後に読み上げられた階床が行先階と判断され（ステップＳ３０７）、その階床を行先階に指定した登録指令がエレベータ制御装置２０に通知されて、処理が終了する。
【００４６】
以上のように、本実施形態では、利用者がタッチパネル２に繰り返し触れる操作（連打）を検知して、音声案内で読み上げる階床の送り動作を行い、タッチパネル２に対する接触が途切れてから第３所定時間内にタッチパネル２に対する接触が再度検知されない場合に、音声案内により最後に読み上げられた階床を行先階と判断する。したがって、エレベータ操作盤１を操作する利用者は、行先階として登録したい階床を簡便な操作で確実に指定することができ、利用者の誤操作によって意図しない階床が行先階として登録されてしまう不都合を有効に抑制することができる。
【００４７】
なお、本実施形態においても、第２実施形態と同様に、音声案内により最後に読み上げられた階床を行先階に登録するか否かを問い合わせる確認音声を出力し、この確認音声に対する応答があった場合に、音声案内により最後に読み上げられた階床を行先階と判断する構成としてもよい。このように構成した場合は、利用者の誤操作によって意図しない階床が行先階として登録されてしまう不都合をさらに抑制することができる。
【００４８】
＜第４実施形態＞
次に、第４実施形態について説明する。本実施形態のエレベータ操作盤１は、タッチパネル２の構成が上述の各実施形態と異なる。以下では、上述の各実施形態と重複する説明は省略し、相違点についてのみ説明する。
【００４９】
本実施形態のエレベータ操作盤１の外観の一例を図６に示す。本実施形態のエレベータ操作盤１では、図６に示すように、タッチパネル２が、上下２分割された構成である。すなわち、タッチパネル２は、上側領域２Ａと、この上側領域２Ａよりも下側に位置する下側領域２Ｂとを有する。上側領域２Ａと下側領域２Ｂは、各々独立したタッチパネルモジュールからなる構成であってもよいし、１つのタッチパネルモジュールを上下２つに領域分割したものであってもよい。上側領域２Ａと下側領域２Ｂを各々独立したタッチパネルモジュールで構成した場合は、上側領域２Ａと下側領域２Ｂを個別に制御できるため、例えば、２人の利用者による行先階の登録操作を同時に受け付けるなど、制御のバリエーションに広がりを持たせることができる。
【００５０】
本実施形態のエレベータ操作盤１には、図６に示すように、タッチパネル２の上側領域２Ａと下側領域２Ｂとの境界位置を触知により認識可能な構造体２Ｃが設けられていることが望ましい。構造体２Ｃは、触知により上側領域２Ａと下側領域２Ｂとの境界位置を認識できる構造であればよく、例えば、タッチパネル２の表面から隆起した凸部であってもよいし、タッチパネル２の表面から窪んだ凹部であってもよい。あるいは、タッチパネル２の表面にテクスチャ加工などの表面処理を施して、これを構造体２Ｃとしてもよい。また、構造体２Ｃは、必ずしも図６に示すように上側領域２Ａと下側領域２Ｂとの境界位置に設ける必要はなく、タッチパネル２の周辺部などに設けてもよい。
【００５１】
本実施形態では、タッチパネル２の上側領域２Ａに対する長押しが検知された場合に、音声出力制御部１２が、かごの現在位置よりも上側の行先階として登録可能な階床を順次読み上げる音声案内を開始させ、タッチパネル２の下側領域２Ｂに対する長押しが検知された場合には、音声出力制御部１２が、かごの現在位置よりも下側の行先階として登録可能な階床を順次読み上げる音声案内を開始させる。つまり、タッチパネル２の上側領域２Ａが長押しされた場合と下側領域２Ｂが長押しされた場合とで、音声案内によって読み上げられる階床が異なる。
【００５２】
ここで、かごの移動方向が決まっていない場合は、かごの現在位置より上側の階床も下側の階床も行先階として登録可能な階床になり得るが、かごの移動方向が決まっている場合は、かごの現在位置より上側の階床もしくは下側の階床のみが行先階として登録可能な階床となる。したがって、かごの移動方向が上昇の場合はタッチパネル２の下側領域２Ｂに対する長押し操作は無効となり、かごの移動方向が下降の場合はタッチパネル２の上側領域２Ａに対する長押し操作は無効となる。
【００５３】
本実施形態では、このような無効の長押し操作が検知された場合に、音声出力制御部１２が、利用者の操作を誘導する誘導音声を出力する。すなわち、かごの移動方向が上昇の場合にタッチパネル２の下側領域２Ｂに対する長押しが検知されると、音声出力制御部１２は、例えば「上側の領域に触れてください」といった誘導音声をスピーカ４から出力させる。また、かごの移動方向が下降の場合にタッチパネル２の上側領域２Ａに対する長押しが検知されると、音声出力制御部１２は、例えば「下側の領域に触れてください」といった誘導音声をスピーカ４から出力させる。
【００５４】
なお、有効な長押し操作が検知されて階床読み上げモードに移行した後に行先階判断部１３が行先階を判断する方法は、上述の各実施形態のいずれの方法であってもよい。
【００５５】
図７は、本実施形態のエレベータ操作盤１の動作例を説明するフローチャートであり、階床読み上げモードにおいて行先階を判断する方法として、上述の第１実施形態と同様の方法を採用した場合の動作例を示している。なお、この図７のステップＳ４０１からステップＳ４０３までの処理は、図３に示したステップＳ１０１からステップＳ１０３までの処理と同様であるため、説明を省略する。
【００５６】
本実施形態のエレベータ操作盤１では、ステップＳ４０１においてタッチパネル２に対する長押しが検知された場合、つまり、タッチパネル２に対する接触が第１所定時間継続した場合に（ステップＳ４０１：Ｙｅｓ）、かごの移動方向が上昇か否かが判定される（ステップＳ４０４）。そして、かごの移動方向が上昇であれば（ステップＳ４０４：Ｙｅｓ）、第１所定時間継続している接触がタッチパネル２の上側領域２Ａに対する接触か否かが判定される（ステップＳ４０５）。ここで、第１所定時間継続している接触がタッチパネル２の上側領域２Ａに対する接触であれば（ステップＳ４０５：Ｙｅｓ）、ステップＳ４１０に進んで音声案内が開始される。ここで開始される音声案内は、かごの現在位置よりも上側の行先階として登録可能な階床を順次読み上げる音声案内である。
【００５７】
一方、第１所定時間継続している接触がタッチパネル２の下側領域２Ｂに対する接触であれば（ステップＳ４０５：Ｎｏ）、上側領域２Ａに触れることを利用者に促す誘導音声がスピーカ４から出力され（ステップＳ４０６）、処理が終了する。
【００５８】
また、かごの移動方向が上昇でない場合は（ステップＳ４０４：Ｎｏ）、続けてかごの移動方向が下降か否かが判定される（ステップＳ４０７）。ここで、かごの移動方向が下降でもない、すなわち、かごの移動方向が決まっていない場合は（ステップＳ４０７：Ｎｏ）、ステップＳ４１０に進んで音声案内が開始される。ここで開始される音声案内は、第１所定時間継続している接触がタッチパネル２の上側領域２Ａに対する接触であれば、かごの現在位置よりも上側の行先階として登録可能な階床を順次読み上げる音声案内であり、第１所定時間継続している接触がタッチパネル２の下側領域２Ｂに対する接触であれば、かごの現在位置よりも下側の行先階として登録可能な階床を順次読み上げる音声案内である。
【００５９】
一方、かごの移動方向が下降であれば（ステップＳ４０７：Ｙｅｓ）、第１所定時間継続している接触がタッチパネル２の下側領域２Ｂに対する接触か否かが判定される（ステップＳ４０８）。ここで、第１所定時間継続している接触がタッチパネル２の下側領域２Ｂに対する接触であれば（ステップＳ４０８：Ｙｅｓ）、ステップＳ４１０に進んで音声案内が開始される。ここで開始される音声案内は、かごの現在位置よりも下側の行先階として登録可能な階床を順次読み上げる音声案内である。
【００６０】
一方、第１所定時間継続している接触がタッチパネル２の上側領域２Ａに対する接触であれば（ステップＳ４０８：Ｎｏ）、下側領域２Ｂに触れることを利用者に促す誘導音声がスピーカ４から出力され（ステップＳ４０９）、処理が終了する。
【００６１】
ステップＳ４１０において音声案内が開始されると、音声案内が行われている間、タッチパネル２に対する接触が途切れたか否かが判定される（ステップＳ４１１）。この音声案内は、タッチパネル２に対する接触が途切れるまで継続され、タッチパネル２に対する接触が途切れたことが検知されると（ステップＳ４１１：Ｙｅｓ）、音声案内が終了する（ステップＳ４１２）。そして、音声案内により最後に読み上げられた階床が行先階と判断され（ステップＳ４１３）、その階床を行先階に指定した登録指令がエレベータ制御装置２０に通知されて、処理が終了する。
【００６２】
以上のように、本実施形態では、タッチパネル２が上側領域２Ａと下側領域２Ｂとに２分割され、上側領域２Ａに対する長押しが検知されたか、下側領域２Ｂに対する長押しが検知されたかによって、音声案内によって読み上げられる階床が異なるようにしている。したがって、音声案内を効率よく行うことができるとともに、エレベータ操作盤１を操作する利用者が視覚障害者であっても、簡便な操作で行先階を適切に登録することができる。
【００６３】
また、本実施形態では、かごの移動方向が上昇の場合に下側領域２Ｂに対する長押しが検知されたとき、あるいはかごの移動方向が下降の場合に上側領域２Ａに対する長押しが検知されたときに、別の領域に接触することを利用者に促す誘導音声を出力するようにしているので、利用者の誤操作を有効に防止することができる。
【００６４】
また、本実施形態では、タッチパネル２の上側領域２Ａと下側領域２Ｂとの境界位置を触知により認識可能な構造体２Ｃを設けることで、エレベータ操作盤１を操作する利用者が視覚障害者であっても、タッチパネル２の上側領域２Ａと下側領域２Ｂとの境界位置を適切に認識させて、正しい操作を促すことができる。
【００６５】
＜第５実施形態＞
次に、第５実施形態について説明する。本実施形態のエレベータ操作盤１は、音声案内による階床の読み上げ方法が、上述の第４実施形態と異なる。以下では、第４実施形態と重複する説明は省略し、相違点についてのみ説明する。
【００６６】
本実施形態では、音声出力制御部１２が、長押しとして検知された接触が途切れたときに音声案内を中断し、接触が途切れたときから第４所定時間内にタッチパネル２の他方の領域（長押しが検知された領域とは別の領域）に対する接触が検知された場合に、音声案内の中断前に最後に読み上げられた階床から読み上げの順序を反転させて、中断していた音声案内を再開する。
【００６７】
例えば、かごの移動方向が上昇、現在位置が５階の場合に、タッチパネル２の上側領域２Ａに対する長押しが検知され、かごの現在位置よりも上側の行先階として登録可能な６階、７階、８階、９階、１０階、１１階・・・を順次読み上げる音声案内が開始されたとする。この場合、例えば１０階が読み上げられたときに上側領域２Ａに対する接触が途切れると音声案内が中断され、その後、第４所定時間内に下側領域２Ｂに対する接触が検知されると、最後に読み上げられた階床である１０階から読み上げの順序を反転した音声案内、つまり、１０階、９階、８階・・・といった順序で行先階として登録可能な階床を読み上げる音声案内が再開される。
【００６８】
また、音声出力制御部１２は、長押しとして検知された接触が途切れたときから第４所定時間内に他方の領域に対する接触が検知されない場合は、音声案内を終了する。そして、行先階判断部１３が、音声案内によって最後に読み上げられた階床を行先階と判断する。第４所定時間は、他方の領域に対する接触が利用者による一連の操作であると判断できる妥当な時間（例えば４秒など）を定めておけばよい。
【００６９】
図８は、本実施形態のエレベータ操作盤１の動作例を説明するフローチャートである。なお、この図８のステップＳ５０１からステップＳ５１１までの処理は、図７に示したステップＳ４０１からステップＳ４１１までの処理と同様であるため、説明を省略する。
【００７０】
本実施形態のエレベータ操作盤１では、ステップＳ５１１においてタッチパネル２の上側領域２Ａまたは下側領域２Ｂに対する接触が途切れたことが検知されると（ステップＳ５１１：Ｙｅｓ）、音声案内が中断される（ステップＳ５１２）。そして、接触が途切れてから第４所定時間内に他方の領域に対する接触が検知されたか否かが判定される（ステップＳ５１３）。ここで、第４所定時間内に他方の領域に対する接触が検知されると（ステップＳ５１３：Ｙｅｓ）、中断前に最後に読み上げられた階床から読み上げの順序を反転して音声案内が再開され（ステップＳ５１４）、ステップＳ５１１に戻って以降の処理が繰り返される。
【００７１】
一方、他方の領域に対する接触が検知されることなく第４所定時間が経過すると（ステップＳ５１３：Ｎｏ）、音声案内がそのまま終了する（ステップＳ５１５）。そして、音声案内により最後に読み上げられた階床が行先階と判断され（ステップＳ５１６）、その階床を行先階に指定した登録指令がエレベータ制御装置２０に通知されて、処理が終了する。
【００７２】
以上のように、本実施形態では、長押しとして検知された接触が途切れてから第４所定時間内に他方の領域に対する接触が検知されると、最後に読み上げられた階床から読み上げの順序を反転して音声案内を再開する。したがって、利用者の操作の遅れによって意図しない階床が行先階として登録されてしまう不都合を有効に抑制することができる。
【００７３】
＜階床読み上げモードに移行する条件の変形例＞
上述した各実施形態では、タッチパネル２に対する長押しが検知されたときに、利用者の操作に応じた行先階を判断する動作モードを通常モードから階床読み上げモードに移行するものとして説明した。しかし、階床読み上げモードは、上述したように、視覚障害者による行先階の登録操作をサポートする動作モードであるため、階床読み上げモードに移行する条件として、エレベータ操作盤１を操作する利用者が視覚障害者であると判断できる条件を加えるようにしてもよい。以下では、階床読み上げモードに移行する条件の変形例を説明する。
【００７４】
（変形例１）
視覚障害者がエレベータを利用する場合、同伴者を伴ってかごに乗り込む場合もある。この場合、かごに設けられたエレベータ操作盤１を操作するのは、視覚障害者ではなく同伴者であることが多い。つまり、視覚障害者が単独でかごに乗り込む状況でなければ、階床読み上げモードの優位性は低い。そこで、かごに乗り込む利用者の数が１人であることが検知され、かつ、タッチパネル２に対する長押しが検知された場合に、利用者の操作に応じた行先階を判断する動作モードが通常モードから階床読み上げモードに移行するように構成してもよい。
【００７５】
すなわち、本変形例では、音声出力制御部１２は、エレベータ操作盤１が設けられたかごに乗り込む利用者の数が１人であることが検知された場合に、タッチパネル２に対する接触が第１所定時間継続したことが検知されると、上述の音声案内を開始する。なお、かごに乗り込む利用者の数を判断する方法は、例えば、カメラで撮影された画像を解析する方法、かごに設置された荷重センサの検出値を利用する方法など、利用者の数を判断可能な方法であればどのような方法を用いてもよい。
【００７６】
（変形例２）
視覚障害者がかごに設けられたエレベータ操作盤１を操作する場合、行先階を登録できずにかごのドアが閉じ、かご内に閉じ込められてしまうことを防止するために、かごのドアを押さえながらエレベータ操作盤１を操作することも多い。つまり、かごのドアが開放した状態でエレベータ操作盤１が操作されている場合は、エレベータ操作盤１を操作している利用者が視覚障害者である可能性がある。そこで、かごのドアが開放した状態でタッチパネル２に対する長押しが検知された場合に、利用者の操作に応じた行先階を判断する動作モードが通常モードから階床読み上げモードに移行するように構成してもよい。
【００７７】
すなわち、本変形例では、音声出力制御部１２は、かごのドアが開放した状態で、タッチパネル２に対する接触が第１所定時間継続したことが検知されると、上述の音声案内を開始する。なお、かごのドアが開放された状態は、ドアの開閉を検知するスイッチの信号に基づいて判断してもよいし、ドアによる挟み込みを防止するためのドアセーフティが作動している状態を、かごのドアが開放された状態と判断してもよい。
【００７８】
（変形例３）
視覚障害者がエレベータ操作盤１を操作する場合、例えば、タッチパネル２の位置を手探りで確認するために、タッチパネル２の複数の位置で接触が検知されることが多い。そこで、タッチパネル２に対する長押しが検知され、かつ、長押しと検知された接触がタッチパネル２上の１点のみの接触ではなく、複数の位置での接触である場合に、利用者の操作に応じた行先階を判断する動作モードが通常モードから階床読み上げモードに移行するように構成してもよい。
【００７９】
すなわち、本変形例では、音声出力制御部１２は、タッチパネル２に対する接触が第１所定時間継続したことが検知され、かつ、第１所定時間の間にタッチパネル２の複数の位置で接触が検知された場合に、上述の音声案内を開始する。
【００８０】
以上の各変形例によれば、エレベータ操作盤１を操作する利用者が視覚障害者である可能性が高いと判断される場合に、利用者の操作に応じた行先階を判断する動作モードを通常モードから階床読み上げモードに移行させることができ、階床読み上げモードへの移行をより適切に制御することができる。
【００８１】
以上述べた少なくとも一つの実施形態によれば、エレベータ操作盤１を操作する利用者が視覚障害者であっても、簡便な操作で行先階を適切に登録することができる。
【００８２】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８３】
１  エレベータ操作盤、２  タッチパネル、２Ａ  上側領域、２Ｂ  下側領域、２Ｃ  構造体、３  インジケータ、４  スピーカ、５  階床ボタン、６  階床表示、７  方向表示、１０  コントロールユニット、１１  表示制御部、１２  音声出力制御部、１３  行先階判断部、２０  エレベータ制御装置
【図１】
2018184274.tif 000003
【図２】
2018184274.tif 000004
【図３】
2018184274.tif 000005
【図４】
2018184274.tif 000006
【図５】
2018184274.tif 000007
【図６】
2018184274.tif 000008
【図７】
2018184274.tif 000009
【図８】
2018184274.tif 000010
【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
タッチパネルを備えるエレベータ操作盤であって、
前記タッチパネルに対する接触が第１所定時間継続したことが検知されると、行先階として登録可能な階床を順次読み上げる音声案内を開始する音声出力制御部と、
前記音声案内が開始された後の前記タッチパネルに対する接触状態の変化に基づいて行先階を判断する行先階判断部と、
を備え、
前記タッチパネルは、上側領域と、該上側領域よりも下側に位置する下側領域とを有し、
前記音声出力制御部は、前記上側領域に対する接触が前記第１所定時間継続したことが検知された場合は、前記エレベータ操作盤が設けられたかごの現在位置よりも上側の行先階として登録可能な階床を順次読み上げる前記音声案内を開始させ、前記下側領域に対する接触が前記第１所定時間継続したことが検知された場合は、前記かごの現在位置よりも下側の行先階として登録可能な階床を順次読み上げる前記音声案内を開始させる
エレベータ操作盤。
【請求項２】
前記音声出力制御部は、前記上側領域に対する接触が前記第１所定時間継続したことが検知された場合に、前記かごの現在位置よりも上側に行先階として登録可能な階床がなければ、前記下側領域に触れることを促す誘導音声を出力し、前記下側領域に対する接触が前記第１所定時間継続したことが検知された場合に、前記かごの現在位置よりも下側に行先階として登録可能な階床がなければ、前記上側領域に触れることを促す誘導音声を出力する
請求項１に記載のエレベータ操作盤。
【請求項３】
前記音声出力制御部は、前記上側領域と前記下側領域のうちの一方の領域に対する接触が前記第１所定時間継続したことが検知されて前記音声案内を開始させた後、前記一方の領域に対する接触が途切れると前記音声案内を中断し、前記一方の領域に対する接触が途切れてから第４所定時間内に他方の領域に対する接触が検知された場合は、最後に読み上げられた階床から読み上げの順序を反転して前記音声案内を再開する
請求項１または２に記載のエレベータ操作盤。
【請求項４】
前記上側領域と前記下側領域は、各々独立したタッチパネルモジュールよりなる
請求項１乃至３のいずれか一項に記載のエレベータ操作盤。
【請求項５】
前記上側領域と前記下側領域との境界位置を触知により認識可能な構造体が設けられている
請求項１乃至４のいずれか一項に記載のエレベータ操作盤。
【請求項６】
タッチパネルを備えるエレベータ操作盤であって、
前記エレベータ操作盤が設けられたかごに乗り込む利用者の数が１人であることが検知された場合に、前記タッチパネルに対する接触が第１所定時間継続したことが検知されると、行先階として登録可能な階床を順次読み上げる音声案内を開始する音声出力制御部と、
前記音声案内が開始された後の前記タッチパネルに対する接触状態の変化に基づいて行先階を判断する行先階判断部と、
を備えるエレベータ操作盤。
【請求項７】
タッチパネルを備えるエレベータ操作盤であって、
前記エレベータ操作盤が設けられたかごのドアが開放した状態で、前記タッチパネルに対する接触が第１所定時間継続したことが検知されると、行先階として登録可能な階床を順次読み上げる音声案内を開始する音声出力制御部と、
前記音声案内が開始された後の前記タッチパネルに対する接触状態の変化に基づいて行先階を判断する行先階判断部と、
を備えるエレベータ操作盤。
【請求項８】
前記音声出力制御部は、継続していた接触が途切れたときに前記音声案内を終了し、
前記行先階判断部は、前記音声案内により最後に読み上げられた階床を行先階と判断する
請求項１乃至７のいずれか一項に記載のエレベータ操作盤。
【請求項９】
前記音声出力制御部は、継続していた接触が途切れたときに、前記音声案内により最後に読み上げられた階床を行先階として登録するか否かを問い合わせる確認音声を出力し、
前記行先階判断部は、前記確認音声が出力されてから第２所定時間内に前記タッチパネルに対する接触が検知された場合に、前記音声案内により最後に読み上げられた階床を行先階と判断する
請求項８に記載のエレベータ操作盤。
【請求項１０】
タッチパネルを備えるエレベータ操作盤であって、
前記タッチパネルに対する接触が第１所定時間継続したことが検知されると、行先階として登録可能な階床を順次読み上げる音声案内を開始し、１つの階床の読み上げが終了するたびに前記音声案内を中断し、前記タッチパネルに対する接触が途切れてから第３所定時間内に再度接触が検知されると、中断した前記音声案内を次の階床の読み上げから再開する音声出力制御部と、
前記タッチパネルに対する接触が途切れてから前記第３所定時間内に接触が検知されない場合に、前記音声案内により最後に読み上げられた階床を行先階と判断する行先階判断部と、
を備えるエレベータ操作盤。
【請求項１１】
前記音声出力制御部は、前記エレベータ操作盤が設けられたかごの移動中に前記タッチパネルに対する接触が前記第１所定時間継続したことが検知された場合は、行先階として登録可能な階床を移動中の前記かごが停止できる最寄りの階床から順次読み上げる前記音声案内を開始する
請求項１乃至１０のいずれか一項に記載のエレベータ操作盤。
【請求項１２】
前記音声出力制御部は、前記タッチパネルに対する接触が前記第１所定時間継続したことが検知され、かつ、前記第１所定時間内に前記タッチパネルの複数の位置で接触が検知された場合に、前記音声案内を開始する
請求項１乃至１１のいずれか一項に記載のエレベータ操作盤。
【請求項１３】
タッチパネルを備えるエレベータ操作盤に対する操作に応じて行先階を登録する行先階登録方法であって、
前記タッチパネルは、上側領域と、該上側領域よりも下側に位置する下側領域とを有し、
前記上側領域に対する接触が第１所定時間継続したことが検知された場合は、前記エレベータ操作盤が設けられたかごの現在位置よりも上側の行先階として登録可能な階床を順次読み上げる音声案内を開始し、前記下側領域に対する接触が前記第１所定時間継続したことが検知された場合は、前記かごの現在位置よりも下側の行先階として登録可能な階床を順次読み上げる音声案内を開始し、前記音声案内が開始された後の前記タッチパネルに対する接触状態の変化に基づいて特定される階床を行先階として登録する
行先階登録方法。
【請求項１４】
タッチパネルを備えるエレベータ操作盤に対する操作に応じて行先階を登録する行先階登録方法であって、
前記エレベータ操作盤が設けられたかごに乗り込む利用者の数が１人であることが検知された場合に、前記タッチパネルに対する接触が第１所定時間継続したことが検知されると、行先階として登録可能な階床を順次読み上げる音声案内を開始し、前記音声案内が開始された後の前記タッチパネルに対する接触状態の変化に基づいて特定される階床を行先階として登録する
行先階登録方法。
【請求項１５】
タッチパネルを備えるエレベータ操作盤に対する操作に応じて行先階を登録する行先階登録方法であって、
前記エレベータ操作盤が設けられたかごのドアが開放した状態で、前記タッチパネルに対する接触が第１所定時間継続したことが検知されると、行先階として登録可能な階床を順次読み上げる音声案内を開始し、前記音声案内が開始された後の前記タッチパネルに対する接触状態の変化に基づいて特定される階床を行先階として登録する
行先階登録方法。
【請求項１６】
タッチパネルを備えるエレベータ操作盤に対する操作に応じて行先階を登録する行先階登録方法であって、
前記タッチパネルに対する接触が第１所定時間継続したことが検知されると、行先階として登録可能な階床を順次読み上げる音声案内を開始し、１つの階床の読み上げが終了するたびに前記音声案内を中断し、前記タッチパネルに対する接触が途切れてから第３所定時間内に再度接触が検知されると、中断した前記音声案内を次の階床の読み上げから再開し、前記タッチパネルに対する接触が途切れてから前記第３所定時間内に接触が検知されない場合に、前記音声案内により最後に読み上げられた階床を行先階として登録する
行先階登録方法。
【手続補正２】
【補正対象書類名】明細書
【補正対象項目名】０００７
【補正方法】変更
【補正の内容】
【０００７】
実施形態のエレベータ操作盤は、タッチパネルを備えるエレベータ操作盤であって、音声出力制御部と、行先階判断部と、を備える。音声出力制御部は、前記タッチパネルに対する接触が第１所定時間継続したことが検知されると、行先階として登録可能な階床を順次読み上げる音声案内を開始する。行先階判断部は、前記音声案内が開始された後の前記タッチパネルに対する接触状態の変化に基づいて行先階を判断する。前記タッチパネルは、上側領域と、該上側領域よりも下側に位置する下側領域とを有し、前記音声出力制御部は、前記上側領域に対する接触が前記第１所定時間継続したことが検知された場合は、前記エレベータ操作盤が設けられたかごの現在位置よりも上側の行先階として登録可能な階床を順次読み上げる前記音声案内を開始させ、前記下側領域に対する接触が前記第１所定時間継続したことが検知された場合は、前記かごの現在位置よりも下側の行先階として登録可能な階床を順次読み上げる前記音声案内を開始させる。